(57)【特許請求の範囲】
【請求項１】
通信可能に接続された複数のプレイヤによって実行されるゲームを提供するゲーム提供装置であって、
ゲームで用いる複数のゲーム媒体に関する情報を記憶する媒体情報記憶手段と、
前記ゲーム媒体を配置するための複数の領域に関する情報を記憶する領域情報記憶手段と、
前記複数のプレイヤ各々からの要求に応答して、前記媒体情報記憶手段に記憶されている複数のゲーム媒体の中から当該プレイヤが使用可能なゲーム媒体を決定する媒体決定手段と、
前記領域情報記憶手段に記憶されている複数の領域のうち前記決定されたゲーム媒体を配置可能な１又は複数の領域の中から前記プレイヤによって任意に選択された領域を当該ゲーム媒体を配置する領域として受け付ける領域選択受付手段と、
前記ゲーム媒体を配置する領域として選択された領域に当該ゲーム媒体を配置する媒体配置手段と、
前記ゲーム媒体の前記領域への配置に応じて当該領域に対応するポイントを前記プレイヤに付与するポイント付与手段と、
前記複数のプレイヤ各々に付与されたポイントに基づいてゲームの結果を判定する結果判定手段と、
を備えるゲーム提供装置。
【請求項２】
前記媒体決定手段は、前記使用可能なゲーム媒体を抽選によって決定する手段である請求項１記載のゲーム提供装置。
【請求項３】
請求項１または２記載のゲーム提供装置であって、
前記ゲーム媒体の前記領域への配置に対して前記プレイヤが投入する価値情報を受け付ける価値情報受付手段を備え、
前記ポイント付与手段は、前記受け付けた価値情報に基づいて前記プレイヤに付与するポイントを決定する手段である、
ゲーム提供装置。
【請求項４】
前記ポイント付与手段は、前記受け付けた価値情報の価値が高いほど、前記プレイヤに付与するポイントが高くなる傾向で当該ポイントを決定する手段である請求項３記載のゲーム提供装置。
【請求項５】
請求項１ないし４いずれか記載のゲーム提供装置であって、
前記媒体情報記憶手段は、前記ゲーム媒体が有するパラメータ値を、当該ゲーム媒体を識別する情報と対応付けて記憶する手段であり、
前記ポイント付与手段は、前記領域へ配置されたゲーム媒体が有するパラメータ値を前記媒体情報記憶手段から取得し、当該取得したパラメータ値に基づいて前記プレイヤへ付与するポイントを決定する手段である、
ゲーム提供装置。
【請求項６】
請求項５記載のゲーム提供装置であって、
前記媒体配置手段によって前記ゲーム媒体が前記領域へ配置されてからの経過時間を判定する経過時間判定手段を備え、
前記媒体情報記憶手段は、前記ゲーム媒体が有するパラメータ値の一つとして、所定時間当たりに獲得可能なポイントを示すポイント獲得速度を記憶する手段であり、
前記ポイント付与手段は、前記経過時間と前記ポイント獲得速度とに基づいて前記プレイヤに付与するポイントを決定する手段である、
ゲーム提供装置。
【請求項７】
所定条件の成立に伴って、前記媒体配置手段によるゲーム媒体の配置を解除する配置解除手段を備える請求項１ないし６いずれか記載のゲーム提供装置。
【請求項８】
前記配置解除手段は、各プレイヤに付与された前記領域に対応するポイントの累計が、当該領域に設定された所定の上限ポイントに達することを前記所定条件の一つとして、前記ゲーム媒体の配置を解除する手段である請求項７記載のゲーム提供装置。
【請求項９】
前記配置解除手段は、各プレイヤに付与された前記領域に対応するポイントの累計が、当該領域に設定された所定の上限ポイントに達した際の、当該領域に前記ゲーム媒体を配置したプレイヤに対して所定の報酬を付与する手段である請求項８記載のゲーム提供装置。
【請求項１０】
前記結果判定手段は、ゲームを開始してからの経過時間が所定の上限時間に達したときに、前記ゲームの結果を判定する手段である請求項１ないし９いずれか記載のゲーム提供装置。
【請求項１１】
前記結果判定手段は、前記複数の領域の全ての領域において、各プレイヤに付与された当該領域に対応するポイントの累計が、当該領域に設定された所定の上限ポイントに達したときに、前記ゲームの結果を判定する手段である請求項１ないし１０いずれか記載のゲーム提供装置。
【請求項１２】
前記結果判定手段は、１以上のプレイヤを有する複数のチーム毎に前記プレイヤに付与されたポイントを集計し、当該集計結果に基づいてゲームの結果を判定する手段である請求項１ないし１１いずれか記載のゲーム提供装置。
【請求項１３】
ゲームで用いる複数のゲーム媒体に関する情報を記憶する媒体情報記憶手段と、前記ゲーム媒体を配置するための複数の領域に関する情報を記憶する領域情報記憶手段と、にアクセス可能なコンピュータを、通信可能に接続された複数のプレイヤによって実行されるゲームを提供するゲーム提供装置として機能させるプログラムであって、
前記複数のプレイヤ各々からの要求に応答し、前記媒体情報記憶手段に記憶されている複数のゲーム媒体の中から当該プレイヤが使用可能なゲーム媒体を決定する媒体決定処理と、
前記領域情報記憶手段に記憶されている複数の領域のうち前記決定されたゲーム媒体を配置可能な１又は複数の領域の中から前記プレイヤによって任意に選択された領域を当該ゲーム媒体を配置する領域として受け付ける領域選択受付処理と、
前記ゲーム媒体を配置する領域として選択された領域に当該ゲーム媒体を配置する媒体配置処理と、
前記ゲーム媒体の前記領域への配置に応じて当該領域に対応するポイントを前記プレイヤに付与するポイント付与処理と、
前記複数のプレイヤ各々に付与されたポイントに基づいてゲームの結果を判定する結果判定処理と、
を前記コンピュータに実行させるプログラム。
【発明の詳細な説明】
【技術分野】
【０００１】
本発明は、ゲームを提供するゲーム提供装置に関し、詳しくは、通信可能に接続された複数のプレイヤによって実行されるゲームを提供するゲーム提供装置に関する。
【背景技術】
【０００２】
近年、携帯電話機やスマートフォン、パーソナルコンピュータ、ゲーム用コンソール等を用いてプレイされるゲームとして、所謂「ファーム系ゲーム」というジャンルのゲームが知られている（例えば、非特許文献１参照）。こうしたゲームでは、仮想的な農園をコマ状の複数の領域からなるフィールドで表現し、各領域に対して「種まき」「水やり」「収穫」「耕す」などのアクションを繰り返し行うことにより、仮想的な農園における作物の収穫などを楽しむことができるようになっている。
【先行技術文献】
【非特許文献】
【０００３】
【非特許文献１】「農園ホッコリーナ」，［オンライン］，株式会社ディー・エヌ・エー，［平成24年8月7日検索］，インターネット＜http://www.facebook.com/Hokkorina?_from=fb_fm＞
【発明の概要】
【発明が解決しようとする課題】
【０００４】
しかしながら、こうしたファーム系ゲームでは、仮想的な農園における作物の収穫数などを他のプレイヤと競い合うことは可能であるものの、所謂「カードゲーム」で実現される他のプレイヤやゲーム上の仮想キャラクタとのバトルと比較すると、対戦的なゲーム要素に乏しい。ファーム系ゲームで実現されているゲームの世界観や操作感を維持しつつ、より対戦的なゲーム要素を楽しむことができるゲームの実現が望まれる。
【０００５】
本発明は、複数の領域からなるフィールドを用いたゲームにおいてより対戦的なゲーム要素を実現することを目的の一つとする。本発明の他の目的は、本明細書全体を参照することにより明らかとなる。
【課題を解決するための手段】
【０００６】
本発明の一実施形態に係るゲーム提供装置は、通信可能に接続された複数のプレイヤによって実行されるゲームを提供するゲーム提供装置であって、ゲームで用いる複数のゲーム媒体に関する情報を記憶する媒体情報記憶手段と、前記ゲーム媒体を配置するための複数の領域に関する情報を記憶する領域情報記憶手段と、前記複数のプレイヤ各々からの要求に応答して、前記媒体情報記憶手段に記憶されている複数のゲーム媒体の中から当該プレイヤが使用可能なゲーム媒体を決定する媒体決定手段と、前記領域情報記憶手段に記憶されている複数の領域の中から前記決定されたゲーム媒体を配置する領域の選択を前記プレイヤから受け付ける領域選択受付手段と、前記ゲーム媒体を配置する領域として選択された領域に当該ゲーム媒体を配置する媒体配置手段と、前記ゲーム媒体の前記領域への配置に応じて当該領域に対応するポイントを前記プレイヤに付与するポイント付与手段と、前記複数のプレイヤ各々に付与されたポイントに基づいてゲームの結果を判定する結果判定手段と、を備える。
【０００７】
本発明の一実施形態に係るプログラムは、ゲームで用いる複数のゲーム媒体に関する情報を記憶する媒体情報記憶手段と、前記ゲーム媒体を配置するための複数の領域に関する情報を記憶する領域情報記憶手段と、にアクセス可能なコンピュータを、通信可能に接続
された複数のプレイヤによって実行されるゲームを提供するゲーム提供装置として機能させるプログラムであって、前記複数のプレイヤ各々からの要求に応答し、前記媒体情報記憶手段に記憶されている複数のゲーム媒体の中から当該プレイヤが使用可能なゲーム媒体を決定する媒体決定処理と、前記領域情報記憶手段に記憶されている複数の領域の中から前記決定されたゲーム媒体を配置する領域の選択を前記プレイヤから受け付ける領域選択受付処理と、前記ゲーム媒体を配置する領域として選択された領域に当該ゲーム媒体を配置する媒体配置処理と、前記ゲーム媒体の前記領域への配置に応じて当該領域に対応するポイントを前記プレイヤに付与するポイント付与処理と、前記複数のプレイヤ各々に付与されたポイントに基づいてゲームの結果を判定する結果判定処理と、を前記コンピュータに実行させる。
【発明の効果】
【０００８】
本発明の様々な実施形態によって、複数の領域からなるフィールドを用いたゲームにおいてより対戦的なゲーム要素を実現することができる。
【図面の簡単な説明】
【０００９】
【図１】本発明の一実施形態に係るサーバ装置を含むゲームシステムを概略的に示すブロック図
【図２】本発明の一実施形態に係るサーバ装置と接続される端末装置のアーキテクチャを概念的に示すブロック図
【図３】本発明の一実施形態に係るサーバ装置の機能を示すブロック図
【図４】本発明の一実施形態におけるキャラクタ管理テーブルの一例
【図５】本発明の一実施形態における領域管理テーブルの一例
【図６】本発明の一実施形態におけるキャラクタ配置管理テーブルの一例
【図７】本発明の一実施形態におけるプレイヤ管理テーブルの一例
【図８】本発明の一実施形態におけるゲーム処理を示すフロー図
【図９】本発明の一実施形態において端末装置に表示されるトップ画面の一例
【発明を実施するための形態】
【００１０】
以下、適宜図面を参照し、本発明の様々な実施形態を説明する。なお、図面において共通する構成要素には同一の参照符号が付されている。
【００１１】
図１は、本発明の一実施形態としてのゲーム提供装置として機能するオンラインゲーム用サーバ装置10を含むゲームシステムを概略的に示すブロック図である。図１に示すように、オンラインゲーム用サーバ装置10（以下、単に「サーバ装置10」ということがある。）は、インターネット等の通信網20を介して、通信機能を備える複数の端末装置30-1、30-2、・・・、30-N（以下、「端末装置30」と総称することがある。）と通信可能に接続されている。
【００１２】
サーバ装置10は、図示のとおり、CPU11と、メインメモリ12と、ユーザI/F13と、通信I/F14と、外部メモリ15と、ディスクドライブ16とを含み、これらの各構成要素がバス17を
介して互いに電気的に接続されている。CPU11は、外部メモリ15からオペレーティングシ
ステムやオンラインゲームの進行を制御する様々なプログラムをメインメモリ12にロードし、ロードしたプログラムに含まれる命令を実行する。メインメモリ12は、CPU11が実行
するプログラムを格納するために用いられ、例えば、DRAMによって構成される。
【００１３】
ユーザI/F13は、例えば、オペレータの入力を受け付けるキーボードやマウス等の情報
入力装置と、CPU11の演算結果を出力する液晶ディスプレイ等の情報出力装置とを含む。
通信I/F14は、ハードウェア、ファームウェア、又はTCP/IPドライバやPPPドライバ等の通信用ソフトウェア又はこれらの組み合わせとして実装され、通信網20を介して端末装置30
と通信可能に構成される。
【００１４】
外部メモリ15は、例えば磁気ディスクドライブで構成され、オンラインゲームの進行を制御するための制御用プログラム等の様々なプログラムが記憶される。また、外部メモリ15には、ゲームにおいて用いられる各種データも記憶され得る。外部メモリ15に記憶され得る各種データは、サーバ装置10と通信可能に接続される、サーバ装置10とは物理的に別体のデータベースサーバに格納されてもよい。ディスクドライブ16は、CD-ROM、DVD-ROM
、DVD-R等の各種の記憶メディアに格納されたデータを読み込み、又は、これらの記憶メ
ディアにデータを書き込む。例えば、記憶メディアに格納されたゲームアプリケーションやゲームデータ等のデータは、ディスクドライブ16により読み込まれ、外部メモリ15にインストールされる。
【００１５】
一実施形態において、サーバ装置10は、階層構造の複数のウェブページから成るウェブサイトを管理するウェブサーバであり、端末装置30に対してゲームサービスを提供することができる。端末装置30は、ウェブページを表示するためのHTMLデータをサーバ装置10から取得し、取得したHTMLデータを解析して、当該ウェブページを端末装置30のユーザ（ゲームのプレイヤ）に提示することができる。このようなウェブページを介して提供されるゲームは、ブラウザゲームと称されることがある。外部メモリ15には、このウェブページを表示するためのHTMLデータも記憶される。HTMLデータは、HTML等のマークアップ言語で記述されたHTML文書から成り、このHTML文書には、様々な画像が関連付けられる。また、HTML文書には、ActionScriptやJavaScript（登録商標）等のスクリプト言語等で記述されたプログラムが埋め込まれ得る。
【００１６】
外部メモリ15には、端末装置30においてブラウザソフトウェア以外の実行環境上で実行されるゲームアプリケーションも格納され得る。このゲームアプリケーションには、ゲームを実行するためのゲームプログラムや当該ゲームプログラム実行時に参照される画像データ等の各種データを含めることができる。ゲームプログラムは、例えば、Objective-C
、Java（登録商標）等のオブジェクト指向プログラミング言語で作成される。作成されたゲームプログラムは、各種データとともに、アプリケーションソフトウェアとして外部メモリ15に記憶される。外部メモリ15に記憶されたアプリケーションソフトウェアは、配信要求に応じて、端末装置30に配信される。サーバ装置10から配信されたアプリケーションソフトウェアは、端末装置30において、CPU31の制御に従って通信I/F34を介して受信され、受信されたゲームプログラムが外部メモリ35に送信され記憶される。このアプリケーションソフトウェアは、プレイヤによる端末装置30の操作に応じて起動され、端末装置30に実装されたNgCore（商標）やAndroid（商標）等のプラットフォーム上で実行される。サ
ーバ装置10は、端末装置30で実行されているゲームアプリケーションに対してゲームの進行に必要な各種データを提供する。また、サーバ装置10は、端末装置30から送信される各種データをプレイヤごとに記憶することで、プレイヤごとにゲームの進行を管理することができる。
【００１７】
このように、サーバ装置10は、ゲームサービスを提供するウェブサイトを管理し、当該ウェブサイトを構成するウェブページを端末装置30からの要求に応じて配信することにより、ゲームを進行させることができる。また、サーバ装置10は、このようなブラウザゲームとは代替的に、又は、ブラウザゲームに加えて、端末装置30で実行されるゲームアプリケーションとの通信に基づいてゲームを進行させることができる。サーバ装置10は、いずれの態様でゲームを提供するにしても、各プレイヤを識別する識別情報ごとにゲームの進行に必要なデータを記憶することができる。詳細な説明は省略するが、サーバ装置10は、ゲームの開始時のプレイヤの認証処理やゲームの進行に応じて発生する課金処理を行う機能を有することもできる。サーバ装置10によって提供されるゲームには、アクションゲーム、ロールプレイングゲーム、野球対戦ゲーム、カードゲーム等の任意のゲームが含まれ
る。サーバ装置10のウェブサイト又はゲームアプリケーションによって実現されるゲームの種類は、本明細書において明示されたものに限られない。
【００１８】
端末装置30は、一実施形態において、サーバ装置10から取得したゲーム用ウェブサイトのウェブページをウェブブラウザ上で表示することができる任意の情報処理装置であり、例えば、携帯電話機、スマートフォン、ゲーム用コンソール、パーソナルコンピュータ、タッチパッド、及び電子書籍リーダーを含むがこれらには限られない。他の実施形態においては、端末装置30は、ゲームアプリケーションを実行するためのアプリケーション実行環境を実装した任意の情報処理装置である。
【００１９】
端末装置30のアーキテクチャについて図２を参照して説明する。図２は、端末装置30のアーキテクチャを概念的に示すブロック図である。端末装置30は、図示のとおり、CPU31
と、メインメモリ32と、ユーザI/F33と、通信I/F34と、外部メモリ35と、を含み、これらの各構成要素がバス36を介して互いに電気的に接続されている。
【００２０】
CPU31は、外部メモリ35からオペレーティングシステム等の様々なプログラムをメイン
メモリ32にロードし、ロードしたプログラムに含まれる命令を実行する。メインメモリ32は、CPU31が実行するプログラムを格納するために用いられ、例えば、DRAMによって構成
される。
【００２１】
ユーザI/F33は、例えば、プレイヤ（ユーザ）の入力を受け付けるタッチパネル、キー
ボード、ボタンやマウス等の情報入力装置と、CPU31の演算結果を出力する液晶ディスプ
レイ等の情報出力装置とを含む。通信I/F34は、ハードウェア、ファームウェア、又は、TCP/IPドライバやPPPドライバ等の通信用ソフトウェア又はこれらの組み合わせとして実装され、通信網20を介してサーバ装置10と通信可能に構成される。
【００２２】
外部メモリ35は、例えば磁気ディスクドライブやフラッシュメモリ等により構成され、オペレーティングシステム等の様々なプログラムを記憶する。また、外部メモリ35は、サーバ装置10から通信I/F34を介してゲームアプリケーションを受信した場合には、この受
信したゲームアプリケーションを記憶する。
【００２３】
このようなアーキテクチャを有する端末装置30は、例えば、HTML形式のファイル（HTMLデータ）を解釈して画面表示するためのブラウザソフトウェアを備えており、このブラウザソフトウェアの機能によりサーバ装置10から取得したHTMLデータを解釈して、受信したHTMLデータに対応するウェブページを表示することができる。また、端末装置30は、ブラウザソフトウェアに組み込まれるプラグインソフト（例えば、アドビシステムズ社から提供されているFlash Player）を備えており、HTMLデータに埋め込まれたSWF形式のファイ
ルをサーバ装置10から取得し、当該SWF形式のファイルをブラウザソフトウェア及びプラ
グインソフトを用いて実行することができる。
【００２４】
端末装置30においてゲームが実行されると、例えば、プログラムにより指示されたアニメーションや操作用アイコンが端末装置30の画面に表示される。プレイヤは、端末装置30の入力インタフェース（例えば、タッチスクリーンやボタン）を用いてゲームを進行させるための指示を入力することができる。プレイヤから入力された指示は、端末装置30のブラウザやNgCore（商標）等のプラットフォームの機能を通じてサーバ装置10に伝達される。
【００２５】
次に、図１に示した各構成要素によって実現されるサーバ装置10の機能について説明する。図３は、本発明の一実施形態に係るサーバ装置10の機能を示すブロック図である。本実施形態に係るサーバ装置10は、図に示すように、ゲームの進行を制御するゲーム進行制
御部51と、ゲームの進行に用いる各種テーブルを記憶する情報記憶部52と、ゲームで用いる複数のゲーム媒体の中からプレイヤが使用可能なゲーム媒体を決定するゲーム媒体決定部54と、ゲーム媒体決定部54によって決定されたゲーム媒体を配置する領域としてプレイヤによって選択された領域を受け付ける領域選択受付部55と、ゲーム媒体の配置に対してプレイヤが投入する価値情報を受け付ける価値情報受付部56と、プレイヤによって選択された領域にゲーム媒体を配置するゲーム媒体配置部57と、ゲーム媒体の領域への配置に応じてプレイヤへポイントを付与するポイント付与部58と、各プレイヤに付与されたポイントに基づいてゲームの結果を判定するゲーム結果判定部59と、ゲーム媒体が領域へ配置されてからの経過時間を判定する経過時間判定部60と、予め定められた条件が成立したときにゲーム媒体の配置を解除する配置解除部61とを有する。これらの機能は、CPU11やメイ
ンメモリ12、外部メモリ15に記憶されている各種プログラムやテーブルなどが協働して動作することにより実現される。
【００２６】
ゲーム進行制御部51は、ゲームの進行に必要な様々なデータを端末装置30との間で送受信し、かかるデータをプレイヤごとに管理することでプレイヤごとにゲームの進行を制御することができる。例えば、ゲーム進行制御部51は、ゲームサービスを提供するウェブサイトを構成するウェブページを、端末装置30からの要求に応じて、端末装置30に順次表示させる。表示されたウェブページ上のハイパーリンクがプレイヤによって選択されると、ゲーム進行制御部51は、当該ハイパーリンクに対応する新たなHTMLデータを端末装置30に送信する。端末装置30では、この新たなHTMLデータに基づいたウェブページが表示される。このように、ゲーム進行制御部51によって、サーバ装置10に記憶されているウェブページがプレイヤの操作に応じて端末装置30に順次提供されるので、プレイヤは、ゲーム進行制御部51の機能により、自らの操作に基づいてゲームを進行させることができる。
【００２７】
端末装置30でゲームアプリケーションが実行される場合には、ゲーム進行制御部51は、ゲームで用いられる各種データを当該ゲームアプリケーションに対して送信することができる。ゲーム進行制御部51は、例えば、端末装置30のゲームアプリケーションから所定のミッションをクリアしたことを示す制御信号を受け付けたときに、クリアされたミッションの次のミッションに関連する各種パラメータを当該ゲームアプリケーションに対して提供する。ゲームアプリケーションは、サーバ装置10から提供されたデータをロードしてゲームを進行させることができる。
【００２８】
端末装置30は、ゲームで用いられる各種のパラメータ値を示す情報（ゲームポイントの獲得数や獲得したアイテムに関する情報等）やステータスを示す情報（達成したミッションを特定する情報等）等のゲームの進行に関連する情報を、ブラウザソフトウェアやゲームアプリケーションの機能を利用して、適宜サーバ装置10に送信することができる。ゲーム進行制御部51は、複数の端末装置30から受信したゲームの進行に関連する情報をプレイヤごとに記憶することで、プレイヤごとにゲームの進行を制御することができる。これにより、プレイヤが自らのIDを用いてサーバ装置10にログインしたときに、サーバ装置10が当該プレイヤに対応付けて保持しているゲームの進行に関する情報に基づいて、当該プレイヤの進行に応じたステージ（例えば、中断直前のステージ）からゲームが再開される。後述するように、ゲームの進行に必要な情報は、ゲーム進行制御部51以外にも、サーバ装置10の様々な機能によって管理され得る。
【００２９】
サーバ装置10においては、様々なゲームが提供され、例えば、各自が保有する電子的なカードを用いてプレイヤ同士が対戦するいわゆるカードゲームや、プレイヤキャラクタと対戦相手キャラクタとの対戦を通じてゲームが進行するロールプレイングゲームなどが提供される。本発明の一実施形態では、ゲームに参加する複数のプレイヤが、複数の領域からなるゲームフィールド上の各領域に対してゲーム媒体を配置することにより、各領域に対応するポイントを獲得して競う領域争奪ゲームが、提供可能なゲームの一つして提供さ
れる。
【００３０】
情報記憶部52は、領域争奪ゲームの進行に用いられるテーブルとして、ゲームで用いるゲーム媒体としてのキャラクタに関する情報を管理するキャラクタ管理テーブル52aと、
キャラクタを配置する領域に関する情報を管理する領域管理テーブル52bと、領域へのキ
ャラクタ配置に関する情報を管理するキャラクタ配置管理テーブル52cと、ゲームに参加
するプレイヤに関する情報を管理するプレイヤ管理テーブル52dとを記憶する。
【００３１】
キャラクタ管理テーブル52aの一例を図４に示す。キャラクタ管理テーブル52aは、図示するように、キャラクタを識別する「キャラクタID」と対応付けて、このキャラクタが有するパラメータ値としての「標準カロリー摂取速度」などの情報が記憶されている。この例における領域争奪ゲームでは、各領域を食べ物（例えば、プリン）で表現し、プレイヤによるポイント獲得をキャラクタ（例えば、熊）による食べ物の消費（カロリー摂取）で表現する。このため、キャラクタ管理テーブル52aで管理する標準カロリー摂取速度は、
各キャラクタにおけるポイント獲得速度を示すものとなる。
【００３２】
領域管理テーブル52bの一例を図５に示す。領域管理テーブル52bは、図示するように、各領域を識別する「領域ID」と対応付けて、この領域が属するゲームフィールドを識別する「ゲームフィールドID」、領域のゲームフィールド上での位置座標を示す「フィールド内位置」、領域に設定されているゲーム開始時のカロリーを示す「基準カロリー」、この領域に残存しているカロリーを示す「残カロリー」などの情報が記憶されている。ここで、詳しくは後述するが、「残カロリー」にはゲーム開始時は「基準カロリー」の値が設定されており、ゲームの進行に従って各プレイヤがカロリーを摂取（ポイントを獲得）すると、摂取したカロリー分が減じられる。また各領域は「領域ID」によって識別されるが、「ゲームフィールドID」と「フィールド内位置」との組み合わせによっても識別可能となっている。
【００３３】
キャラクタ配置管理テーブル52cの一例を図６に示す。キャラクタ配置管理テーブル52cは、図示するように、「領域ID」と対応付けて、この領域にその時点で配置されているキャラクタの「キャラクタID」、領域にキャラクタを配置したプレイヤを識別する「プレイヤID」、領域にキャラクタを配置する際にプレイヤが投入した価値情報としてのプレイヤポイントを示す「使用PP」、配置されているキャラクタがこの領域において摂取したカロリーを示す「取得カロリー」、配置されているキャラクタがこの領域に配置された時刻を示す「配置時刻」などの情報が記憶されている。
【００３４】
プレイヤ管理テーブル52dの一例を図７に示す。プレイヤ管理テーブル52dは、図示するように、プレイヤを識別する「プレイヤID」と対応付けて、このプレイヤが保有する領域争奪ゲームで使用可能なプレイヤポイント（PP）を示す「保有PP」、プレイヤが参加している領域争奪ゲームのゲームフィールドを識別する「フィールドID」、プレイヤが所属するチームを識別する「チームID」、プレイヤがその時点で使用可能なキャラクタの「キャラクタID」、プレイヤが参加しているゲームフィールド内で摂取したカロリー（獲得したポイント）の累積値を示す「累積取得カロリー」などの情報が記憶されている。
【００３５】
次に、こうして構成された本発明の一実施形態としてのサーバ装置10の動作について説明する。図８は、サーバ装置10により実行されるゲーム処理の一例を示すフロー図である。ゲーム処理では、まず、ゲームを開始する前に必要な各種の処理を行う事前処理を実行する（工程P100）。事前処理で行う各種の処理としては、例えば、サーバ装置10が提供する他のゲームを実行しているプレイヤの端末装置30に対して領域争奪ゲームの開催を予告するデータを提供する処理や領域争奪ゲームへの参加登録をプレイヤの端末装置30から受け付ける処理、各プレイヤの端末装置30からチームの編成を要求するデータを受け付けて
チームの編成を管理する処理などを挙げることができる。詳細な説明は省略するが、チームの編成を管理することにより、プレイヤ管理テーブル52dの「チームID」にプレイヤが
参加するチームの「チームID」が設定される。
【００３６】
そして、領域争奪ゲームの開始条件が成立すると、ゲームの開始に必要な各種処理を行う開始処理を実行する（工程P102）。領域争奪ゲームの開始条件としては、例えば、ゲームを提供するゲームプロバイダが予め設定した時刻となること、などを挙げることができる。開始処理で行う各種の処理としては、例えば、予め参加登録したプレイヤの端末装置30に対して領域争奪ゲームの開始を通知するデータを提供する処理や、後述する領域争奪ゲームのトップ画面が各プレイヤの端末装置30に対して提供可能となるよう設定する処理などを挙げることができる。
【００３７】
ここで、領域争奪ゲームをプレイするための基本的な画面である図９に例示するトップ画面70について説明する。前述したように、このトップ画面70は、工程P102の開始処理の実行により各プレイヤの端末装置30に対して提供可能となる画面である。トップ画面70は、図示するように、画面上方から下方へ、ゲームの残り時間やプレイヤの累積取得カロリーを表示する基本情報表示部72と、複数の領域からなるゲームフィールドを表示するゲームフィールド表示部74と、キャラクタを領域に配置する際に投入する価値情報としてのプレイヤポイントを選択するための使用PP選択部76と、プレイヤがその時点で使用可能なキャラクタに関する情報を表示するキャラクタ表示部78とを有する。この例では、図示するように、ゲームフィールドは4行5列からなる20個のプリンとして表現されている。
【００３８】
図８のフロー図に戻り、工程P102の開始処理が実行されると、次に、各プレイヤの端末装置30からの要求に応答してゲーム媒体（キャラクタ）の抽選を行うゲーム媒体抽選処理（工程P104）と、ゲーム媒体を領域に配置するゲーム媒体配置処理（工程P106）と、プレイヤにポイントを付与すると共にゲーム媒体の配置を解除するポイント付与・配置解除処理（工程P108）とを、ゲーム終了までの間、繰り返し実行する。
【００３９】
ゲーム媒体抽選処理（工程P104）では、領域に配置するためのキャラクタの抽選を要求するデータをプレイヤの端末装置30から受信すると、キャラクタ管理テーブル52aで管理
されているキャラクタの中から抽選によりキャラクタを決定し、抽選を要求したプレイヤの端末装置30のトップ画面70のキャラクタ表示部78に決定したキャラクタを表示させると共に、このキャラクタの「キャラクタID」を抽選を要求したプレイヤの「プレイヤID」と対応付けてプレイヤ管理テーブル52dに記憶する。ここで、抽選によるキャラクタの決定
は各種の手法を用いて行うことができ、例えば、擬似乱数生成法により発生させた擬似乱数を用いて行うことができる。また、トップ画面70のキャラクタ表示部78には、一実施形態では、キャラクタの絵柄と共にこのキャラクタのカロリー摂取速度に関する情報を表示する（図９の例では「スピードx2」と表示され、通常のキャラクタのカロリー摂取速度である100カロリー／分の2倍のスピード（200カロリー／分）であることを示している）。
【００４０】
ゲーム媒体配置処理（工程P106）では、キャラクタを配置する領域を選択するデータと、このキャラクタ配置に対して使用するプレイヤポイントを示すデータとをプレイヤの端末装置30から受信し、受信したデータに基づいてキャラクタ配置管理テーブル52cを更新
する。プレイヤの端末装置30から受信するデータは、プレイヤによるトップ画面70を介した操作に応じて送信されるデータである。即ち、トップ画面70のキャラクタ表示部78に表示されているキャラクタを配置する領域として、ゲームフィールド表示部74に表示されている領域の中からプレイヤが所望の領域を選択した上で、トップ画面70の使用PP選択部76に表示されているプレイヤポイント（図9の例では、「1PP」、「2PP」、「3PP」の3種類
）の中から投入するプレイヤポイントをプレイヤが選択することにより、端末装置30から送信されるデータである。なお、ゲームフィールド表示部74は、他のキャラクタが配置さ
れている領域や残カロリーが0（ゼロ）である領域は選択できないようになっている。ま
た、領域を選択するデータはゲームフィールド上での位置座標として送信される。さらに、使用PP選択部76は、プレイヤが保有するプレイヤポイント（プレイヤ管理テーブル52d
の「保有PP」として管理されている）の範囲内でポイント数を選択できるようになっている。キャラクタ配置管理テーブル52cの更新は、具体的には、プレイヤが参加しているゲ
ームフィールドの「ゲームフィールドID」（プレイヤ管理テーブル52dで管理されている
）と「フィールド内位置」に対応する「領域ID」を領域管理テーブル52bから取得し、こ
の「領域ID」に対応付けて、プレイヤの「プレイヤID」と配置するキャラクタの「キャラクタID」（プレイヤ管理テーブル52で管理されている）をキャラクタ配置管理テーブル52cに設定する。また、キャラクタ配置管理テーブル52cの「使用PP」には端末装置30から受信したプレイヤポイントを設定し、「配置時刻」には現在時刻を設定し、「残り時間」にはキャラクタがこの領域に滞在できる時間の上限値（例えば、15分）を設定する。なお、「取得カロリー」には、この時点ではキャラクタによるカロリー摂取は発生していないため、0（ゼロ）が設定される。
【００４１】
ポイント付与・配置解除処理（工程P108）では、キャラクタ配置管理テーブル52cで管
理されている情報に基づいて、領域にキャラクタが配置されてからの経過時間に応じた摂取カロリーの計算とキャラクタの配置解除とを行う。領域にキャラクタが配置されてからの経過時間は、キャラクタ配置管理テーブル52cの「配置時刻」と現在時刻とを比較する
ことにより計算することができる。
【００４２】
摂取カロリーの計算は、一実施形態においては、1分経過する毎に、キャラクタの「標
準カロリー摂取速度」（キャラクタ管理テーブル52aに記憶されている）とキャラクタ配
置に対して使用されたプレイヤポイントである「使用PP」（キャラクタ配置管理テーブル2cに記憶されている）とに基づいて計算される。「使用PP」が1PPの場合、1分経過する毎の摂取カロリーは、キャラクタの「標準カロリー摂取速度」と同一となる。即ち、キャラクタの「標準カロリー摂取速度」が毎分100カロリーの場合には、摂取カロリーは100カロリーとなり「標準カロリー摂取速度」が毎分200カロリーの場合には、摂取カロリーは200カロリーとなる。
【００４３】
また、一実施形態においては、「使用PP」の値に応じてキャラクタの「標準カロリー摂取速度」を変化させることができる。例えば、「使用PP」が1PPの場合には「標準カロリ
ー摂取速度」はそのままであり、「使用PP」が2PPの場合には「標準カロリー摂取速度」
は2倍となり、「使用PP」が3PPの場合には「標準カロリー摂取速度」は4倍となる。即ち
、「標準カロリー摂取速度」が毎分100カロリーである同一のキャラクタが配置されてい
る場合であっても、「使用PP」が1PPの場合には1分経過する毎の摂取カロリーは100カロ
リーとなり、2PPの場合には200カロリーとなり、3PPの場合には400カロリーとなる。また、他の実施形態においては、「使用PP」の値に応じて領域の「残カロリー」が変化する。例えば、「使用PP」が1PPの場合には「残カロリー」はそのままであり、「使用PP」が2PPの場合には「残カロリー」は2倍となり、「使用PP」が3PPの場合には「残カロリー」は4
倍となる。なお、「使用PP」の値に応じて、キャラクタの「標準カロリー摂取速度」を変化させるか、領域の「残カロリー」を変化させるかは、プレイヤによって選択させるものとしても良いし、配置するキャラクタによって決定される（即ち、「標準カロリー摂取速度」を変化させるキャラクタや「残カロリー」を変化させるキャラクタが存在する）ものとしても良い。さらに、「使用PP」の値に応じて、キャラクタの「標準カロリー摂取速度」と領域の「残カロリー」の両方を変化させるものとすることもでき、この場合、例えば、両方の変化の割合(増加の倍率)が同じとなるように設定しても良い。
【００４４】
こうして計算された摂取カロリーは、キャラクタ配置管理テーブル52cの「取得カロリ
ー」に加算される。また、摂取されたカロリーの分だけ領域の残カロリーが減少するので
領域管理テーブル52bの「残カロリー」から摂取カロリーを減算し、プレイヤの累積取得
カロリーが増加するのでプレイヤ管理テーブル52dの「累積取得カロリー」に対して摂取
カロリーが加算される。
【００４５】
キャラクタの配置解除は、一実施形態においては、領域にキャラクタが配置されてからの経過時間が予め定められた上限値（例えば、15分）に達した場合になされる。また、一実施形態においては、経過時間が上限値に達する前であっても、領域の残カロリーが0（
ゼロ）となった場合（即ち、各プレイヤによって配置されたキャラクタによるカロリー摂取の累計値が領域の基準カロリーに達した場合）には、キャラクタの配置解除がなされる。なお、キャラクタの配置解除は、その他のタイミングで行うものとしても良い。キャラクタの配置解除は、具体的には、キャラクタ配置管理テーブル53cの該当するレコードを
削除することにより行われる。
【００４６】
ここで、一実施形態においては、配置されたキャラクタによるカロリー摂取の結果、領域の残カロリーが0（ゼロ）となった場合には、残カロリーを0（ゼロ）としたキャラクタを配置したプレイヤに対して、予め定められた報酬が付与される。例えば、プレイヤポイントを最大値まで回復させたり、ゲームを有利に進めるためのアイテムが付与される。なお、報酬を付与するプレイヤを、残カロリーを0（ゼロ）としたキャラクタを配置したプ
レイヤのみとせず、当該領域にそれ以前にキャラクタを配置したプレイヤを含めても良い。この場合、例えば、当該領域における取得カロリーに応じた報酬（カロリー摂取の貢献度に応じた報酬）を、各プレイヤに付与するようにすれば良い。
【００４７】
このように、ゲーム媒体抽選処理（工程P104）とゲーム媒体配置処理（工程P106）とポイント付与・配置解除処理（工程P108）とを繰り返し実行することにより、各プレイヤによるキャラクタの取得、取得したキャラクタの領域への配置、経過時間に応じたカロリー摂取・配置解除、が繰り返し行われることになる。
【００４８】
そして、予め定められたゲーム終了条件が成立すると（工程P112）、ゲーム結果を判定するゲーム結果判定処理が実行される（工程P114）。一実施形態においては、予め定められたゲーム終了時刻となったときにゲームを終了する。さらに、一実施形態においては、予め定められたゲーム終了時刻となる前であっても、ゲームフィールド内の全ての領域の残カロリーが0（ゼロ）となったときにはゲームを終了する。なお、ゲーム終了条件は、
その他の条件であっても構わないのは勿論である。ゲーム結果判定処理（工程P114）では、各プレイヤが獲得したカロリーをチーム単位で集計し、チーム毎の獲得カロリー数に応じてチームの勝敗を決定する。獲得したカロリーのチーム単位での集計は、具体的には、プレイヤ管理テーブル52dに記憶されている各プレイヤの「累積取得カロリー」を「チー
ムID」を用いてチーム毎に集計することにより行われる。
【００４９】
以上説明したように、本発明の一実施形態によれば、複数の領域からなるゲームフィールドを用いた領域争奪ゲームにおいて、各プレイヤが抽選によって取得したキャラクタを領域に配置し、配置したキャラクタによる領域での獲得ポイント（摂取カロリー）を複数のプレイヤ間で競い合うゲームを提供する。したがって、ゲームフィールド内の各領域を選択してアクションを行うというファーム系ゲームなどで実現されているゲームの世界観や操作感を維持しつつ、より対戦的なゲーム要素を実現するゲームを提供することができる。また、キャラクタを領域に配置する際に、投入するプレイヤポイントをプレイヤに選択させ、投入したプレイヤポイントに応じて獲得ポイントを変化させるから、よりゲーム性を向上させることができる。
【００５０】
一実施形態では、プレイヤが領域へ配置するキャラクタを抽選により決定したが、他の手法を用いて決定してもよい。例えば、プレイヤが保有する複数のゲーム媒体を予め管理
しておき、この複数のゲーム媒体の中から所定のルール（例えば、予めプレイヤにより設定された順序など）で配置するゲーム媒体を決定しても良い。
【００５１】
一実施形態では、キャラクタを領域に配置する際に、投入するプレイヤポイントをプレイヤにより選択させ、このプレイヤポイントに応じて獲得ポイント（摂取カロリー）を計算するものとしたが、プレイヤが投入するのはプレイヤポイントでなくても良く、プレイヤにとって価値のあるその他の情報でも良い。例えば、キャラクタを領域に配置する際にプレイヤが保有するアイテムなどを投入させ、このアイテムの内容に応じて獲得ポイントを計算するものとしても良い。この場合、投入されるアイテムの価値の高低に応じた獲得ポイントとなるように任意の計算式を設定すれば良い。さらに、必ずしもプレイヤからプレイヤポイントなどの価値情報を受け付けなくても構わない。この場合、プレイヤポイントなどの価値情報を考慮せずに獲得ポイントを計算すれば良い。
【００５２】
一実施形態では、キャラクタのパラメータ値として標準カロリー摂取速度を設定し、この標準カロリー摂取速度に応じて摂取カロリーを計算するものとしたが、キャラクタを領域に配置してからの経過時間に応じて獲得ポイントが計算できれば良く、パラメータ値の種類は問わない。さらに、必ずしもキャラクタにパラメータ値を設定する必要もない。この場合、キャラクタの種類を問わず、経過時間などの情報に基づいて獲得ポイントを計算すれば良い。
【００５３】
一実施形態では、経過時間に応じて獲得ポイントを計算するものとしたが、必ずしも経過時間を考慮する必要はない。例えば、領域に配置されたゲーム媒体のパラメータ値に基づいて獲得ポイントを計算するものとしても良いし、領域へのゲーム媒体の配置に対して固定のポイントを付与するものとしても差し支えない。
【００５４】
一実施形態では、ゲーム媒体としてキャラクタを例示したがこれに限られず、ゲームで用いられる電子的なカード、アイテム、アバタなど、あらゆる電子データが含まれるのは勿論である。
【００５５】
本明細書で説明された処理及び手順は、実施形態中で明示的に説明されたもの以外にも、ソフトウェア、ハードウェアまたはこれらの任意の組み合わせによって実現される。より具体的には、本明細書で説明される処理及び手順は、集積回路、揮発性メモリ、不揮発性メモリ、磁気ディスク、光ストレージ等の媒体に、当該処理に相当するロジックを実装することによって実現される。また、本明細書で説明される処理及び手順は、それらの処理・手順をコンピュータプログラムとして実装し、各種のコンピュータに実行させることが可能である。
【００５６】
本明細書中で説明される処理及び手順が単一の装置、ソフトウェア、コンポーネント、モジュールによって実行される旨が説明されたとしても、そのような処理または手順は複数の装置、複数のソフトウェア、複数のコンポーネント、及び／又は複数のモジュールによって実行され得る。また、本明細書中で説明されるデータ、テーブル、又はデータベースが単一のメモリに格納される旨説明されたとしても、そのようなデータ、テーブル、又はデータベースは、単一の装置に備えられた複数のメモリまたは複数の装置に分散して配置された複数のメモリに分散して格納され得る。さらに、本明細書において説明されるソフトウェアおよびハードウェアの要素は、それらをより少ない構成要素に統合して、またはより多い構成要素に分解することによって実現することも可能である。
【００５７】
本明細書において、発明の構成要素が単数もしくは複数のいずれか一方として説明された場合、又は、単数もしくは複数のいずれとも限定せずに説明された場合であっても、文脈上別に解すべき場合を除き、当該構成要素は単数又は複数のいずれであってもよい。
【符号の説明】
【００５８】
10  サーバ装置
30  端末装置
51  ゲーム進行制御部
52  情報記憶部
54  ゲーム媒体決定部
55  領域選択受付部
56  価値情報受付部
57  ゲーム媒体配置部
58  ポイント付与部
59  ゲーム結果判定部
60  経過時間判定部
61  配置解除部
【図１】
0005519852.tif 000002
【図２】
0005519852.tif 000003
【図３】
0005519852.tif 000004
【図４】
0005519852.tif 000005
【図５】
0005519852.tif 000006
【図６】
0005519852.tif 000007
【図７】
0005519852.tif 000008
【図８】
0005519852.tif 000009
【図９】
0005519852.tif 000010